(57)【要約】【課題】鞘管及び芯線を、固定体及び移動部材に容易に接続することができ、しかも芯線端部のエンド部材が移動部材から外れるのを防止しうるようにする。【解決手段】鞘管４の一端に、中空筒状の接続部材１０を止着し、該接続部材１０を、芯線７と、同芯状をなして遊端を固定体２ａに当接させるようにした中空筒状のコネクタケース１１における基端に設けた内向き段部１７内に嵌合し、かつ接続部材１０に、内向き段部１７に係合して、軸線方向の移動を阻止する弾性係合片１４を設ける。【選択図】　　　　図１
2004052968.tif 000002
【特許請求の範囲】
【請求項１】
可撓性を有する鞘管内に芯線を軸線方向に摺動自在に挿入してなる鞘付きケーブルにおける前記芯線の両端を、２個の移動部材にそれぞれ係止するとともに、前記鞘管を、前記移動部材に近接する固定体に止着してなる鞘付きケーブルの接続構造において、
前記鞘管の一端に、中空筒状の接続部材を止着し、該接続部材を、前記芯線と同芯状をなして遊端を固定体に当接させるようにした中空筒状のコネクタケースにおける基端に設けた内向き段部内に嵌合し、かつ前記接続部材に、前記内向き段部に係合して、軸線方向の移動を阻止する弾性係合片を設けたことを特徴とする鞘付きケーブルの接続構造。
【請求項２】
弾性係合片が、コネクタケースにおける内向き段部の内側に当接する抜け止め用の係止爪と、前記内向き段部の外側に当接する進入阻止用の係止爪とを備えている請求項１記載の鞘付きケーブルの接続構造。
【請求項３】
いずれか一方の移動部材を、固定体を貫通して、軸線方向に移動する軸状の部材とするとともに、芯線が係止された方の端部を、コネクタケース内に軸線方向に摺動自在に嵌合させた請求項１または２記載の鞘付きケーブルの接続構造。
【請求項４】
芯線の端末に芯線の外径より大きいエンド部材を止着し、このエンド部材とそれに連続する芯線の端部とを嵌合する係止溝を、コネクタケースにより覆われる移動部材の軸端部外周面に設けた請求項３記載の鞘付きケーブルの接続構造。
【請求項５】
芯線の先端が、コネクタケースの遊端より外側に突出するまで、接続部材をコネクタケース内に進入可能とした請求項１〜４のいずれかに記載の鞘付きケーブルの接続構造。
【請求項６】
コネクタケースの外周部に、その中に嵌合されている接続部材の弾性係合片を、内方に押動して、コネクタケースの内向き段部から離脱させうるようにした解除手段を設けた請求項１〜５のいずれかに記載の鞘付きケーブルの接続構造。
【請求項７】
解除手段を、弾性係合片に対応する位置において、半径方向外方に突出する操作突起を備え、内向き段部を残して、前記操作突起の両側と基端側とに、軸線方向を向くコ字状の切り溝を形成して弾性を付与したものとした請求項６記載の鞘付きケーブルの接続構造。
【請求項８】
弾性係合片を、筒状とした接続部材の基端部から先端部に向かって、半径方向外方に斜めに上がり、直角に落ち込み、再び半径方向外方に直角に上がって溝部を形成し、最後に半径方向内方に斜めに下がる形状のものとし、この弾性係合片の両側において、接続部材の基端部から軸線方向に２本の切り溝を形成して、弾性を付与した請求項１〜７のいずれかに記載の鞘付きケーブルの接続構造。
【発明の詳細な説明】
【０００１】
【発明の属する技術分野】
本発明は、例えば家具等の可動部の制御用部材と操作レバーとを接続して連動させる鞘付きケーブルの接続構造に関する。
【０００２】
【従来の技術】
この種の接続構造は、可撓性を有する鞘管内に、芯線を軸線方向に摺動自在に挿入してなる鞘付きケーブルにおける前記芯線の両端を、２個の移動部材にそれぞれ係止するとともに、前記鞘管の両端を、前記移動部材に近接する固定体に止着するものである。
【０００３】
【発明が解決しようとする課題】
しかし、従来のこの種接続構造は、鞘付きケーブルを、制御用部材を作動させる移動部材へ接続することが面倒で、手間のかかるものであった。
特に、芯線の端部に球状のエンド部材を設け、これを、移動部材の円形溝部に挿入して係止させるようにしているが、これが、使用中に何らかの原因で外れてしまうことがある。
【０００４】
本発明は、上述の問題点に鑑み、鞘管および芯線を、固定体及び移動部材に容易に接続することができ、しかも芯線端部のエンド部材が移動部材から外れるのを防止した鞘付きケーブルの接続構造を提供することを目的としている。
【０００５】
【課題を解決するための手段】
本発明によると、上記課題は、次のようにして解決される。
（１）可撓性を有する鞘管内に芯線を軸線方向に摺動自在に挿入してなる鞘付きケーブルにおける前記芯線の両端を、２個の移動部材にそれぞれ係止するとともに、前記鞘管を、前記移動部材に近接する固定体に止着してなる鞘付きケーブルの接続構造において、前記鞘管の一端に、中空筒状の接続部材を止着し、該接続部材を、前記芯線と同芯状をなして遊端を固定体に当接させるようにした中空筒状のコネクタケースにおける基端に設けた内向き段部内に嵌合し、かつ前記接続部材に、前記内向き段部に係合して、軸線方向の移動を阻止する弾性係合片を設ける。
【０００６】
（２）上記（１）項において、弾性係合片が、コネクタケースにおける内向き段部の内側に当接する抜け止め用の係止爪と、前記内向き段部の外側に当接する進入阻止用の係止爪とを備えるものとする。
【０００７】
（３）上記（１）または（２）項において、いずれか一方の移動部材を、固定体を貫通して、軸線方向に移動する軸状の部材とするとともに、芯線が係止された方の端部を、コネクタケース内に軸線方向に摺動自在に嵌合させる。
【０００８】
（４）上記（３）項において、芯線の端末に芯線の外径より大きいエンド部材を止着し、このエンド部材とそれに連続する芯線の端部とを嵌合する係止溝を、コネクタケースにより覆われる移動部材の軸端部外周面に設ける。
【０００９】
（５）上記（１）〜（４）項のいずれかにおいて、芯線の先端が、コネクタケースの遊端より外側に突出するまで、接続部材をコネクタケース内に進入可能とする。
【００１０】
（６）上記（１）〜（５）項のいずれかにおいて、コネクタケースの外周部に、その中に嵌合されている接続部材の弾性係合片を、内方に押動して、コネクタケースの内向き段部から離脱させうるようにした解除手段を設ける。
【００１１】
（７）上記（６）項において、解除手段を、弾性係合片に対応する位置において、半径方向外方に突出する操作突起を備え、内向き段部を残して、前記操作突起の両側と基端側とに、軸線方向を向くコ字状の切り溝を形成して弾性を付与したものとする。
【００１２】
（８）上記（１）〜（７）項のいずれかにおいて、弾性係合片を、筒状とした接続部材の基端部から先端部に向かって、半径方向外方に斜めに上がり、直角に落ち込み、再び半径方向外方に直角に上がって溝部を形成し、最後に半径方向内方に斜めに下がる形状のものとし、この弾性係合片の両側において、接続部材の基端部から軸線方向に２本の切り溝を形成して、弾性を付与する。
【００１３】
【発明の実施の形態】
図１は、本発明の一実施形態を備える家具等における可動部、具体的には、椅子のリクライニング機構等の操作装置を示す。鞘付きケーブル（１）の一端は、椅子のフレームのような固定体（２）に穿設した通孔（３）に、可撓性を有する鞘管（４）の端部に固着した筒状の取付具（５）を挿入し、取付具（５）の先端部外周に形成した雄ねじ部（５ａ）に、固定体（２）の反対側からナット（６）を締め付けることにより、固定体（２）に止着されている。鞘管（４）から延びる芯線（７）の端は、移動部材である操作レバー（９）に連結されている。
【００１４】
図１の上部に示す鞘付きケーブル（１）の他端は、ガススプリングのような制御用部材（８）に作用するように接続されている。
【００１５】
本発明の接続構造は、図１の上部に示す制御用部材（８）への接続に採用されている。この接続構造においては、図２に示す合成樹脂の一体成形品である筒状の接続部材（１０）、及びこの接続部材に外嵌された同様のコネクタケース（１１）を用いている。
【００１６】
筒状の接続部材（１０）の基端部の内側には、前述したのと同様の取付具（５）の雄ねじ部（５ａ）に螺合する雌ねじ部（１２）が形成されている。また、この端部の外側には、三角形状の突起（１３）が４箇所に突設され、非円形断面とされている。
【００１７】
図１及び図２に示すように、筒状の接続部材（１０）の遊端部側には、直径方向に対向する２個の弾性係合片（１４）が形成されている。これらの弾性係合片（１４）は、基端部側から先端部に向かって、半径方向外方に斜めに上がった後、直角に落ち込み、再び半径方向外方に直角に上がって溝部（１５）を形成し、最後に、半径方向内方に斜めに下がる形状となっており、これによって、溝部（１５）より遊端側に、後述するコネクタケース（１１）の内向き段部（１７）の内側に当接する抜け止め用の係止爪（１４ａ）が、また溝部（１５）より基端側に、内向き段部（１７）の外側に当接する進入阻止用の係止爪（１４ｂ）が形成されている。
【００１８】
また、弾性係合片（１４）の両側において基端部から遊端に向かって、軸線方向に２本の切り溝（１６）（図２）を形成することにより、弾性係合片（１４）に弾性を付与している。
雄ねじ部（１２）及び弾性係合片（１４）については、図３及び図４に拡大して示してある。
【００１９】
筒状のコネクタケース（１１）は、遊端を、前述の固定体（２）の一部である、同じ内径の筒状部分（２ａ）の先端に当接させてあり、その内径は、接続部材（１０）における２個の係止爪（１４ａ）の外端間の寸法と等しくしてあり、その基端の開口部には、内向き段部（１７）が、全周にわたって形成されている。
【００２０】
また、コネクタケース（１１）には、弾性係合片（１４）の内向き段部（１７）への係合を解除する解除手段（１８）が設けられている。この解除手段（１８）は、弾性係合片（１４）に対応する位置において、半径方向外方に突出する操作突起（１８ａ）を備え、内向き段部（１７）を残して、操作突起（１８ａ）の両側と基端側とに、軸線方向を向くコ字状の切り溝（１９）を形成して、操作突起（１８ａ）に弾性を付与している。
【００２１】
図１、図３及び図４に示すように、鞘付きケーブル（１）の芯線（７）の先端には、芯線（７）の外径より大寸の球状のエンド部材（２０）が止着されており、このエンド部材（２０）とそれに連続する芯線（７）の端部とが、ガススプリング（８）を操作するレバー腕（２１）に枢着した軸状の移動部材（２２）の軸端部の外周面に形成した円形溝（２３）及びそれに続くスリット（２４）からなる係止溝（２２ａ）に嵌合して係止されている。移動部材（２２）の外径は、コネクタケース（１１）の内部を軸線方向に摺動できる程度の径としている。
【００２２】
組付けに当たっては、鞘付きケーブル（１）の一端（図１下部）の取付具（５）を、固定体（２）に穿設されている通孔（３）に挿入し、ナット（６）により固定体（２）に対して締め付けて、鞘管（４）の一端を固定体（２）に止着した後、そこから引き出した芯線（７）の一端を、操作レバー（９）に係止する。なお、この作業を鞘付きケーブル（１）の他端側の接続作業の後に行なうこともある。
【００２３】
図１の上部に示すように、制御用部材（８）側においては、ロックナット（６ａ）を螺合した取付具（５）の雄ねじ部（５ａ）を、接続部材（１０）の雌ねじ部（１２）に螺合して、接続部材（１０）を取付具（５）に取り付け、ロックナット（６ａ）により、ゆるめ止めする。
【００２４】
ついで、接続部材（１０）の遊端部を、コネクタケース（１１）の基端側開口に差し込む。すると、接続部材（１０）の弾性係合片（１４）は、半径方向内方に弾性的に屈従してコネクタケース（１１）の内部に進入し、溝部（１５）は、コネクタケース（１１）の基端の内向き段部（１７）に一旦係合する（図４の状態）。
【００２５】
ついで、接続部材（１０）の弾性係合片（１４）と、コネクタケース（１１）の解除手段（１８）との位置を整合させ、操作突起（１８ａ）を上から強く押さえると、その内端で、接続部材（１０）の弾性係合片（１４）を内方に弾性変形させるか、またはコネクタケース（１１）より外側に露呈している弾性係合片（１４）を直接内方に押し込むことにより、弾性係合片（１４）の係止爪（１４ｂ）を内向き段部（１７）から内方に外し、接続部材（１０）をコネクタケース（１１）内に深く進入させる。この状態を、図３に示してある。
【００２６】
図３に示すように、鞘付きケーブル（１）の芯線（７）を、コネクタケース（１１）の遊端から外側に十分突出させることにより、芯線（７）の先端の球形のエンド部材（２０）を、移動部材（２２）の外周面に形成された係止溝（２５）に簡単に嵌合させることができる。
【００２７】
このようにして、エンド部材（２０）を移動部材（２２）に嵌合させたのち、鞘管（４）を図３の左方に引きつつ、コネクタケース（１１）を、固定体（２）の筒状部分（２ａ）の先端に向かって、すなわち図３の右方に押し付けると、内向き段部（１７）が、弾性係合片（１４）の係止爪（１４ｂ）の傾斜面を内向きに弾性変形させつつ進行して、溝部（１５）に係合するとともに、コネクタケース（１１）が移動部材（２２）に外嵌した後、遊端が筒状部分（２ａ）の先端に当接して係止する（図４参照）。
【００２８】
この状態では、移動部材（２２）の端部がコネクタケース（１１）内に取り込まれ、エンド部材（２０）は外部に露出しないので、移動部材（２２）の係止溝（２２ａ）から外れることはない。
【００２９】
図１に矢印で示すように、操作レバー（９）を作動方向に回動させると、芯線（７）が引かれ、移動部材（２２）がコネクタケース（１１）を、矢印のように接続部材（１０）側に移動させられ、これによりレバー腕（２１）が矢印のように回動させられて、ガススプリング（８）が作動させられる。コネクタケース（１１）の長さは、この際の移動部材（２２）の移動を充分に許容する長さに定められている。
【００３０】
分解に当たっては、コネクタケース（１１）の解除手段（１８）と接続部材（１０）の弾性係合片（１４）とを整合させ、解除手段（１８）の操作突起（１８ａ）を強く押さえて、弾性係合片（１４）を、内向き段部（１７）の内径よりも内方に弾性撓曲させ、一旦接続部材（１０）をコネクタケース（１１）の内方に相対的に引き入れて、コネクタケース（１１）を筒状部分（２ａ）の先端から離して、図３の状態とし、エンド部材（２０）を移動部材（２２）から外す。これによって、ケーブル（１）の他端部を、制御用部材（８）側から簡単に外すことができる。
【００３１】
その後、必要に応じて、操作突起（１８ａ）を上記と同様に内方に向かって押しつけて、弾性係合片（１４）を内方に弾性撓曲させ、接続部材（１０）をコネクタケース（１１）から引き抜くことができる。
また、ロックナット（６ａ）を緩めて、接続部材（１０）を取付具（５）の雄ねじ部（５ａ）から簡単に取り外すこともできる。
【００３２】
【発明の効果】
請求項１記載の発明によると、接続部材とコネクタケースとの組合せにより、鞘管及び芯線の固定体及び移動部材への組付け及び分解を容易に行なうことができる。
【００３３】
請求項２記載の発明によると、弾性係合片がコネクタケースの内向き段部に係合することにより、コネクタケースに対する接続部材の抜け方向と進入方向との両方向への移動が確実に阻止され、使用時に、芯線の移動等により、両部材が互いに外れることがない。
【００３４】
請求項３記載の発明によると、移動部材における固定体から突出する部分が、コネクタケース内に嵌合され、案内されるので、移動部材の軸線方向の移動、及びそれに伴う芯線の軸線方向の移動が円滑となり、作動時に芯線が振動したり、曲がったりするのを防止することができるとともに、移動部材が外部に露呈することがなく、体裁がよい。
【００３５】
請求項４記載の発明によると、エンド部材が嵌合され、係止された係止溝の開口部がコネクタケースにより覆われるので、エンド部材が係止溝から脱落するおそれがなく、安全である。
【００３６】
請求項５記載の発明によると、芯線の先端をコネクタケースの遊端より引き出して、移動部材と接続することができるので、その接続作業を容易に行なうことができる。
【００３７】
請求項６記載の発明によると、コネクタケース内に嵌合された接続部材の弾性係合片を、コネクタケースの外側から、解除手段により、内方に弾性撓曲させて、容易に係止状態を解除することができる。
【００３８】
請求項７記載の発明によると、解除手段を簡単に形成することができる。
【００３９】
請求項８記載の発明によると、接続部材における弾性係合片を、簡単に形成することができる。
【図面の簡単な説明】
【図１】本発明の一実施形態を備える、２個の移動鞘付きケーブルにより連結した連結構造の一部を破断して示す正面図である。
【図２】図１に示す接続構造に用いる接続部材及びコネクタケースの斜視図である。
【図３】鞘付きケーブルの端部に、接続部材及びコネクタケースを取り付けた部分を、芯線のエンド部材装着前の状態で示す、縦断正面図である。
【図４】図３に示す部分を、エンド部材装着完了の状態で示す同様の縦断正面図である。
【符号の説明】
（１）鞘付きケーブル
（２）固定体
（２ａ）筒状部分
（３）通孔
（４）鞘管
（５）取付具
（５ａ）雄ねじ部
（６）ナット
（６ａ）ロックナット
（７）芯線
（８）制御用部材
（９）操作レバー（移動部材）
（１０）接続部材
（１１）コネクタケース
（１２）雌ねじ部
（１３）突起
（１４）弾性係合片
（１４ａ）（１４ｂ）係止爪
（１５）溝部
（１６）切り溝
（１７）内向き段部
（１８）解除手段
（１８ａ）操作突起
（１９）切り溝
（２０）エンド部材
（２１）レバー腕
（２２）移動部材
（２３）円形溝
（２４）スリット
（２５）係止溝
【図１】
2004052968.tif 000003
【図２】
2004052968.tif 000004
【図３】
2004052968.tif 000005
【図４】
2004052968.tif 000006